(57)【要約】【課題】  既存のアンテナの利得、指向性、干渉を改善する反射信号ブースタを提供すること。【解決手段】  アンテナの性能を改善するために全方向性アンテナを組み込むように適合された反射信号ブースタであって、  前記アンテナに対して指定された角度で配置され、前記アンテナにほぼ平行である金属反射器と、  前記反射器を固定し、前記アンテナに対して前記反射器の前記角度を維持するための誘電材料製の角度固定装置と、  前記アンテナを定位置で支持する誘電材料製の支持スリーブとを備えること。【選択図】  図１
0003102933.tif 000002
【実用新案登録請求の範囲】
【請求項１】
アンテナの性能を改善するために全方向性アンテナを組み込むように適合された反射信号ブースタであって、
前記アンテナに対して指定された角度で配置され、前記アンテナにほぼ平行である金属反射器と、
前記反射器を固定し、前記アンテナに対して前記反射器の前記角度を維持するための誘電材料製の角度固定装置と、
前記アンテナを定位置で支持する誘電材料製の支持スリーブとを備えることを特徴とする反射信号ブースタ。
【請求項２】
前記金属反射器が、銅板製であることを特徴とする請求項１に記載の反射信号ブースタ。
【請求項３】
前記金属反射器が、銅箔製であることを特徴とする請求項１に記載の反射信号ブースタ。
【請求項４】
前記金属反射器が、アルミニウム板製であることを特徴とする請求項１に記載の反射信号ブースタ。
【請求項５】
前記金属反射器が、アルミニウム箔製であることを特徴とする請求項１に記載の反射信号ブースタ。
【請求項６】
前記金属反射器が、鉄板製であることを特徴とする請求項１に記載の反射信号ブースタ。
【請求項７】
前記金属反射器が、プラスチック金属積層フィルム製であることを特徴とする請求項１に記載の反射信号ブースタ。
【請求項８】
前記金属反射器が、間に所定の角度を形成する２つの反射面を備え、前記アンテナが、支持体によってその間に配置されることを特徴とする請求項１に記載の反射信号ブースタ。
【請求項９】
前記金属反射器が、前記反射面を形成する２つの金属板製であることを特徴とする請求項８に記載の反射信号ブースタ。
【考案の詳細な説明】
【技術分野】
【０００１】
本考案は、無線通信に関する。本考案は、無線ＬＡＮをベースとする局、無線ビデオ／音声送信器／受信器、またはコードレス電話において応用されるダイポール・アンテナに特に適している。
【背景技術】
【０００２】
モノポール・タイプまたはダイポールタイプの一般的な全方向性アンテナ（チューブ・アンテナまたはスティック・アンテナを含む）は、一般に、無線送信器／受信器装置と直接接続され、周辺と容易に干渉する。
【０００３】
干渉の問題を解決するために、従来２つの方法が取られていた。
【０００４】
（１）高利得指向性アンテナを採用して、低利得全方向性アンテナと置き換える。
【０００５】
（２）一般的にコストのかかる電力増幅器を追加する。しかし、電力増幅により、他の無線機器との干渉が生じ、さらには人体の健康が損なわれる。
【０００６】
ここで提案する解決法は、本考案によって構築される信号ブースタを既存のモノポール・アンテナまたはダイポール・アンテナに装備することである。信号ブースタは、２つの反射金属板を備える。この板は、内部に電磁波を閉じ込め、それにより信号が増幅され、かつ他の機器との干渉が制限される開先角度を形成する。
【考案の開示】
【考案が解決しようとする課題】
【０００７】
本考案は、既存のアンテナの利得、指向性、干渉を改善する反射信号ブースタを提供する。
【課題を解決するための手段】
【０００８】
上述した目的を実現するために、本考案によって構築される反射信号ブースタは、波反射器として役立つように所定の開先角度を間に形成する２つの金属板と、金属板を固定し、したがって開先角度を維持する角度固定装置と、金属板間の所定の位置においてアンテナを支持し、かつ保持するアンテナ・スリーブとを備える。
詳しくは、
アンテナの性能を改善するために全方向性アンテナを組み込むように適合された反射信号ブースタであって、
前記アンテナに対して指定された角度で配置され、前記アンテナにほぼ平行である金属反射器と、
前記反射器を固定し、前記アンテナに対して前記反射器の前記角度を維持するための誘電材料製の角度固定装置と、
前記アンテナを定位置で支持する誘電材料製の支持スリーブとを備えることからなる。
又、前記金属反射器が、銅板製であることが好適である。
又、前記金属反射器が、銅箔製であることが好適である。
又、前記金属反射器が、アルミニウム板製であることが好適である。
又、前記金属反射器が、アルミニウム箔製であることが好適である。
又、前記金属反射器が、鉄板製であることが好適である。
又、前記金属反射器が、プラスチック金属積層フィルム製であることが好適である。
又、前記金属反射器が、間に所定の角度を形成する２つの反射面を備え、前記アンテナが、支持体によってその間に配置されることが好適である。
さらに、前記金属反射器が、前記反射面を形成する２つの金属板製であることが好適である。
【考案を実施するための最良の形態】
【０００９】
本考案の利点または特徴に関するより詳細な情報について、好ましい実施形態の少なくとも１つの例を、添付の図面を参照して以下で述べる。
【００１０】
図面、具体的には図１を参照すると、本考案によって構築される反射信号ブースタは、２つの金属板（１）を備え、この板は、角度固定装置（２）によって１つに固定されて、開先角度を形成し、この角度の範囲内において、アンテナ支持スリーブ手段（３）が固定され、アンテナ（４）を金属板（１）の間において支持する。角度固定装置（２）は、プラスチックなどの誘電材料製であることが好ましい。金属板（１）は、電磁波の反射面を形成する銅、アルミニウム、および鉄などのあらゆる適切な金属とすることができる。金属板（１）は、固定具に張り付けられた金属箔、または金属とプラスチックとの積層構造によって置き換えることができる。
【００１１】
金属板（１）は、９０°などの指定された開先角度を形成するように共に固定される。別法として、信号ブースタは、開先角度を形成するように１枚の金属板を湾曲させることによって形成することができる。金属板（１）は、波反射器として役立つ。金属板（１）は、指定された開先角度を維持するように、角度固定装置（２）によって１つに固定される。
【００１２】
アンテナ支持スリーブ（３）は、プラスチックなどの誘電材料製であり、金属板（１）に取り付けられる。アンテナ支持スリーブ（３）は、金属板（１）間においてアンテナ（４）を受け、したがって固定する。図の実施形態では、本考案の信号ブースタを使用して、たとえば、それだけには限らないが、モノポール・アンテナ、ダイポール・アンテナ、およびダイポール・アレイ・アンテナの動作および特性を改善することができる。
【００１３】
また、アンテナ支持スリーブ（３）の異なる代替形態を示す図２を参照すると、信号送信器などの電子装置（５）が、電磁波を伝送するためにアンテナ（４）に接続される。
【００１４】
また図３を参照すると、アンテナ（４）から放出された電磁波は、金属板（１）によって反射されて、金属板（１）の配向によって決定される方向に投影される。したがって、全方向性アンテナから放射された電磁波のほとんどが、適切に配置された金属板（１）によって反射されることにより、全方向性アンテナは、単指向性アンテナに変化する。その結果、アンテナ利得は改善され、他の機器との干渉は低減される。
【００１５】
次いで、第１の実験では、本考案の信号ブースタが、間に９０°の開先角度を有する幅９ｃｍ、高さ１４ｃｍの２つのアルミニウム板と共に形成される。全方向性ダイポール・アンテナが、これらの２つの金属板の頂点から５．５ｃｍの距離に配置される。全方向性ダイポール・アンテナは、本考案の信号ブースタを有する場合と、有していない場合との両方について、無響室において２．４４２ＧＨｚの周波数で測定された２ｄＢｉの公称利得を有する。本考案の信号ブースタを有していないアンテナについて、Ｈ面およびＥ面のアンテナ・パターンの測定結果を図４−１および４−２に示す。これは、（図６−１に示すように周波数２．４〜２．５ＧＨｚにおいて）１．９ｄＢｉの実利得と、２より小さいＶＳＷＲ（電圧定常波比）を有する。本考案の信号ブースタを有する全方向性ダイポール・アンテナの測定結果を、それぞれＨ面およびＥ面のパターンについて図４−３および４−４に示す。これは、８．５ｄＢｉの実利得と、周波数２．４〜２．５ＧＨｚの間で依然として２より小さいが（図６−２に示す）、信号ブースタがない場合のアンテナよりわずかに高いＶＳＷＲとを有する。
【００１６】
第２の実験では、本考案の信号ブースタが、間に９０°の開先角度を有する幅１２ｃｍ、高さ５４ｃｍの２つのアルミニウム板で形成される。５０ｃｍの長さと、２１ｍｍの直径と、８．５ｄＢｉの利得とを有する全方向性ダイポール・アレイ・アンテナが、試験用金属板の頂点から５．５ｃｍの距離に配置される。本考案の信号ブースタを有していないアンテナのＨ面およびＥ面のアンテナ・パターンの測定結果をそれぞれ図５−１および５−２に示す。これは、８．５ｄＢｉの実利得を有する。本考案の信号ブースタを有する全方向性ダイポール・アレイ・アンテナの測定結果をそれぞれＨ面およびＥ面のパターンについて図５−３および５−４に示す。これは、１４．５ｄＢｉの実利得を有する。
【００１７】
本考案の信号ブースタによれば、少数の簡単な金属板およびプラスチック構成要素を使用することによって、既存のアンテナを修正せず、また、どの電力増幅装置をも使用せずに、（ｉ）アンテナ利得および伝送範囲、（ｉｉ）アンテナの指向性、ならびに（ｉｉｉ）干渉について、全方向性アンテナの性能を改善することが可能である。
【００１８】
上記の記述では、添付の図面を参照して、少なくとも１つの好ましい実施形態について詳細に述べた。以下実用新案登録請求の範囲に述べられている本考案の精神および範囲から逸脱せずに、多くの変更または修正を実施することが可能であることは明らかである。
【図面の簡単な説明】
【００１９】
【図１】ダイポール・アンテナが内部において支持されている、本考案によって構築される信号ブースタの透視図である。
【図２】本考案による信号ブースタの他の実施形態の透視図である。
【図３】本考案による信号ブースタの動作原理を概略的に示す上面図である。
【図４−１】２ｄＢｉの利得を有する従来の全方向性ダイポール・アンテナのＨ面パターンを示す図である。
【図４−２】２ｄＢｉの利得を有する従来の全方向性ダイポール・アンテナのＥ面パターンを示す図である。
【図４−３】本考案の信号ブースタによって遮蔽された、２ｄＢｉの利得を有する全方向性ダイポール・アンテナのＨ面パターンを示す図である。
【図４−４】本考案の信号ブースタによって遮蔽された、２ｄＢｉの利得を有する全方向性ダイポール・アンテナのＥ面パターンの図である。
【図５−１】５０ｃｍの長さおよび８．５ｄＢｉの利得を有する従来の全方向性ダイポール・アレイ・アンテナのＨ面パターンを示す図である。
【図５−２】５０ｃｍの長さおよび８．５ｄＢｉの利得を有する全方向性ダイポール・アレイ・アンテナのＥ面パターンを示す図である。
【図５−３】本考案の信号ブースタによって遮蔽された、５０ｃｍの長さおよび８．５ｄＢｉの利得を有する全方向性ダイポール・アレイ・アンテナのＨ面パターンを示す図である。
【図５−４】本考案による信号ブースタによって遮蔽された、５０ｃｍの長さおよび２ｄＢｉの利得を有する全方向性ダイポール・アレイ・アンテナのＥ面パターンを示す図である。
【図６−１】２．４００〜２．４８４ＧＨｚの範囲内における、従来のダイポール・アンテナのＶＳＷＲ曲線を示す図である。
【図６−２】２．４００〜２．４８４ＧＨｚの範囲内における、本考案の信号ブースタによって遮蔽されたダイポール・アンテナのＶＳＷＲ曲線を示す図である。
【符号の説明】
【００２０】
１  金属板
２  角度固定装置
３  アンテナ支持スリーブ手段
４  アンテナ
５  電子装置
【図１】
0003102933.tif 000003
【図２】
0003102933.tif 000004
【図３】
0003102933.tif 000005
【図４−１】
0003102933.tif 000006
【図４−２】
0003102933.tif 000007
【図４−３】
0003102933.tif 000008
【図４−４】
0003102933.tif 000009
【図５−１】
0003102933.tif 000010
【図５−２】
0003102933.tif 000011
【図５−３】
0003102933.tif 000012
【図５−４】
0003102933.tif 000013
【図６−１】
0003102933.tif 000014
【図６−２】
0003102933.tif 000015